(57)【要約】【課題】ユーザの操作により、スリープモードへの移行の有無を設定可能な電子機器を提供する。【解決手段】開閉検出部２２０は、電子機器１０の開状態から閉状態または閉状態から開状態の遷移を検出する。電力制御部２１０は、アプリケーションを実行するアプリケーション処理部の動作モードを設定する。電力制御部２１０は、ホールドスイッチ５０がオフ状態にある場合に、開状態から閉状態への遷移が検出されると、アプリケーション処理部１０４の動作モードを通常モードからスリープモードに切り替える。一方、電力制御部２１０は、ホールドスイッチ５０がオン状態にある場合に、開状態から閉状態への遷移が検出されても、アプリケーション処理部１０４の動作モードを通常モードからスリープモードに切り替えない。【選択図】図４
2011065682.tif 000002
【特許請求の範囲】
【請求項１】
上側筐体と下側筐体とを備え、前記上側筐体と前記下側筐体とがスライド可能に連結されて、前記下側筐体の前面に設けられた操作キーが外部に露出する開状態と、前記操作キーが外部に露出しない閉状態の少なくとも２つの状態をとりうる電子機器であって、
当該電子機器の状態の遷移を検出する開閉検出部と、
アプリケーションを実行するアプリケーション処理部と、
前記アプリケーション処理部の動作モードを設定する電力制御部と、
ユーザにより操作される操作スイッチと、を備え、
前記電力制御部は、前記操作スイッチがオフ状態にある場合に、開状態から閉状態への遷移が検出されると、前記アプリケーション処理部の動作モードを通常モードからスリープモードに切り替え、前記操作スイッチがオン状態にある場合に、開状態から閉状態への遷移が検出されても、前記アプリケーション処理部の動作モードを通常モードからスリープモードに切り替えないことを特徴とする電子機器。
【請求項２】
前記電力制御部は、前記操作スイッチがオン状態にある場合に、開状態から閉状態への遷移が検出されても、前記アプリケーション処理部の動作モードを通常モードに維持し、この後、前記操作スイッチをオフ状態にしても、動作モードをスリープモードに切り替えないことを特徴とする請求項１に記載の電子機器。
【請求項３】
開状態から閉状態への遷移が検出されたときの前記アプリケーション処理部の動作モードとして、ユーザが第１モードと第２モードとを選択可能であって、
第１モードが選択されている場合、前記電力制御部は、前記操作スイッチがオフ状態にある場合に、開状態から閉状態への遷移が検出されると、前記アプリケーション処理部の動作モードを通常モードからスリープモードに切り替え、
第２モードが選択されている場合、前記アプリケーション処理部は、開状態から閉状態への遷移が検出されると、所定のアプリケーションを実行すること、
を特徴とする請求項１または２に記載の電子機器。
【請求項４】
第２モードが選択されている場合、前記アプリケーション処理部は、開状態から閉状態への遷移が検出されると、現在時刻情報を示す時計をディスプレイに表示するアプリケーションを実行することを特徴とする請求項３に記載の電子機器。
【請求項５】
第２モードが選択されている場合、前記アプリケーション処理部は、前記操作スイッチがオン状態にある場合に、開状態から閉状態への遷移が検出されると、所定のアプリケーションを実行しないことを特徴とする請求項３または４に記載の電子機器。
【請求項６】
前記アプリケーション処理部が所定のアプリケーションを実行しているときに、前記操作スイッチがオン状態にされると、閉状態から開状態に遷移しても、前記アプリケーション処理部は、所定のアプリケーションを実行し続けることを特徴とする請求項３または４に記載の電子機器。
【発明の詳細な説明】
【技術分野】
【０００１】
本発明は、電子機器に関し、特に２つの筐体を備えた携帯型の電子機器に関する。
【背景技術】
【０００２】
ゲーム機やＰＤＡ（Personal Digital Assistant）等の電子機器には、少なくとも操作キーと、ディスプレイとが設けられる。ディスプレイサイズを犠牲にすることなく、電子機器自体を小型化するために、互いにスライド可能に連結された別個の筐体のそれぞれに操作キーとディスプレイとを設けた電子機器が実用化されている。この電子機器では、上側筐体と下側筐体とが完全に重ねられた状態から下側筐体を上側筐体に対してスライドさせることで、下側筐体に設けられた操作キーが露出し、ユーザが、操作キーを操作できるようになる。
【発明の概要】
【発明が解決しようとする課題】
【０００３】
このようなスライド型電子機器では、上側筐体と下側筐体とが完全に重なっていると、操作キーは外部に露出しないため、ユーザは操作キーを操作できない。携帯型の電子機器はバッテリ駆動であるため、このような場合は消費電力を低減させるために、動作モードをスリープモードに移行させて、アプリケーションを実行するＣＰＵ（Central Processing Unit）への電力供給を停止することが好ましい。しかしながら、音楽再生アプリケーションのように、基本的にキー操作を必要としないアプリケーションの実行中は、下側筐体に設けられた操作キーが外部に露出していなくても、スリープモードに移行させずに、音楽再生を継続することが好ましい場合もある。
【０００４】
そこで本発明は、ユーザの操作により、スリープモードへの移行の有無を設定可能な電子機器を提供することを目的とする。
【課題を解決するための手段】
【０００５】
上記課題を解決するために、本発明のある態様の電子機器は、上側筐体と下側筐体とを備え、上側筐体と下側筐体とがスライド可能に連結されて、下側筐体の前面に設けられた操作キーが外部に露出する開状態と、操作キーが外部に露出しない閉状態の少なくとも２つの状態をとりうる電子機器であって、当該電子機器の状態の遷移を検出する開閉検出部と、アプリケーションを実行するアプリケーション処理部と、アプリケーション処理部の動作モードを設定する電力制御部と、ユーザにより操作される操作スイッチと、を備える。電力制御部は、操作スイッチがオフ状態にある場合に、開状態から閉状態への遷移が検出されると、アプリケーション処理部の動作モードを通常モードからスリープモードに切り替え、操作スイッチがオン状態にある場合に、開状態から閉状態への遷移が検出されても、アプリケーション処理部の動作モードを通常モードからスリープモードに切り替えない。
【０００６】
なお、以上の構成要素の任意の組合せ、本発明の表現を方法、装置、システム、記録媒体、コンピュータプログラムなどの間で変換したものもまた、本発明の態様として有効である。
【発明の効果】
【０００７】
本発明によると、ユーザの操作により、スリープモードへの移行の有無を設定可能な電子機器を提供できる。
【図面の簡単な説明】
【０００８】
【図１】本実施例に係る携帯型電子機器の外観構成を示す図である。
【図２】電子機器の外観構成を示す図である。
【図３】電子機器の外観構成を示す図である。
【図４】電子機器の内部構成を示す図である。
【図５】閉状態にしたときの電子機器の動作を設定するための画面例を示す図である。
【図６】設定項目の選択画面を示す図である。
【図７】メインＣＰＵのスリープモードへの移行制御を示すフローチャートである。
【発明を実施するための形態】
【０００９】
図１は、本実施例に係る携帯型電子機器１０の外観構成を示す。電子機器１０は、スライド可能に連結された上側筐体２０および下側筐体３０を備える。図１（ａ）は、電子機器１０が第１状態（閉状態）にあるときの前面図であり、図１（ｂ）は、電子機器１０が第２状態（開状態）にあるときの前面図である。電子機器１０の閉状態においては、上側筐体２０が下側筐体３０の上方にてほぼ完全に重なっており、下側筐体３０の前面に設けられた操作キーは外部に露出しない。この閉状態から、下側筐体３０を上側筐体２０に対してスライドさせると、電子機器１０は、下側筐体３０の前面に設けられた操作キーが外部に露出する開状態となる。
【００１０】
上側筐体２０の前面には、左スピーカ２１ａ、右スピーカ２１ｂ、操作ボタン２２およびディスプレイ２３が設けられる。上側筐体２０の背面と下側筐体３０の前面の間には、上側筐体２０と下側筐体３０とをスライド可能に連結するスライド機構（図示せず）が設けられる。
【００１１】
図１（ｂ）に示す開状態において、下側筐体３０の前面に設けられた方向キー３１ａ、３１ｂ、３１ｃ、３１ｄ（以下、総称する場合には「方向キー３１」と呼ぶ）、アナログパッド３２、マイク３３、スタートボタン３４、セレクトボタン３５、操作ボタン３６ａ、３６ｂ、３６ｃ、３６ｄ（以下、総称する場合には「操作ボタン３６」と呼ぶ）が外部に露出する。方向キー３１、アナログパッド３２、スタートボタン３４、セレクトボタン３５、操作ボタン３６などの操作キーは、電子機器１０が開状態となることで、操作可能となる。
【００１２】
図２は、電子機器１０の外観構成を示す。図２において、電子機器１０は閉状態にある。図２（ａ）は、電子機器１０の頂面図であり、図２（ｂ）は、電子機器１０の底面図である。下側筐体３０の頂面には、左ボタン３７ａ、右ボタン３７ｂおよび音量ボタン３８ａ、３８ｂが設けられ、底面には、接続用端子３９およびヘッドホン／マイク端子４０が設けられる。接続用端子３９は、外部の機器と接続するために用いられる。
【００１３】
図３は、電子機器１０の外観構成を示す。図３において、電子機器１０は閉状態にある。図３（ａ）は、電子機器１０の左側面図であり、図３（ｂ）は、電子機器１０の右側面図である。下側筐体３０の左側面には、メディアカードスロット４１が設けられ、右側面にはホールドスイッチ５０が設けられる。
【００１４】
電子機器１０において、上側筐体２０の前面に設けられた操作ボタン２２、下側筐体３０の前面に設けられた方向キー３１、アナログパッド３２、スタートボタン３４、セレクトボタン３５、操作ボタン３６、下側筐体３０の頂面に設けられた左ボタン３７ａ、右ボタン３７ｂは、ユーザにより操作される操作キーである。ホールドスイッチ５０は、ユーザによりオフ位置とオン位置との間で動かされ、オン位置に動かされると、ユーザによる操作キーへの操作入力の受け付けが無効とされる。電子機器１０が閉状態にある場合、下側筐体３０の前面に設けられた操作キーは外部に露出しないが、操作ボタン２２、左ボタン３７ａ、右ボタン３７ｂは、常に外部に露出している。そのためユーザは、電子機器１０の利用を終了するときには、ホールドスイッチ５０をオン位置に動かすことで、操作ボタン２２、左ボタン３７ａ、右ボタン３７ｂのキー操作を無効化させ、操作キーの意図しない誤操作を回避することができる。
【００１５】
電子機器１０は携帯型ゲーム機であってよい。ゲーム機として利用する場合、ユーザは、電子機器１０を開状態にして、ゲームアプリケーションを実行する。ディスプレイ２３にはゲーム画像が表示され、ユーザは、電子機器１０を把持しながら方向キー３１や操作ボタン３６などを操作して、ゲームを楽しむことができる。ゲームを終了すると、ユーザは、電子機器１０を閉状態にする。電子機器１０はバッテリ駆動であるため、電子機器１０が閉状態になると、消費電力を低減させるために、動作モードを通常モードからスリープモードに切り替えて、省電力化を図ることが好ましい。
【００１６】
近年では、電子機器の多機能化が進んでおり、たとえば音楽再生機能が携帯電話機などの電子機器に組み込まれることが増えている。本実施例の電子機器１０も、ゲーム実行機能だけでなく、音楽再生機能を有して構成されてもよい。電子機器１０が音楽再生機器として利用される場合、その利用態様は、ゲーム機とは異なることが想定される。すなわち、ゲーム機として利用される場合、ユーザは電子機器１０を把持しながら操作キーを操作するが、音楽再生機器として利用される場合には、ユーザは、電子機器１０を把持するのではなく、カバンや衣服のポケットなどに電子機器１０を入れて、イヤホンやヘッドホンなどを用いて音楽を聴く利用態様が想定される。
【００１７】
このように音楽再生機器として利用される場合には、電子機器１０は閉状態にされるのが通常であると考えられるが、電子機器１０を閉状態にしたときに、動作モードが常にスリープモードに移行すると、音楽再生アプリケーションも終了することになり、好ましくない。そこで本実施例の電子機器１０は、ユーザの簡易なスイッチ操作により、スリープモードへの移行の有無を設定可能とする。
【００１８】
図４は、電子機器１０の内部構成を示す。電子機器１０は、メインＣＰＵ１００およびシステムコントローラ２００を備える。メインＣＰＵ１００およびシステムコントローラ２００は、別個のチップに形成され、それぞれバッテリから異なる系統で電力供給を受ける。メインＣＰＵ１００は、本体情報の設定や、アプリケーションの選択をユーザに行わせるためのメニュー画面を生成するメニュー処理部１０２と、アプリケーションを実行するアプリケーション処理部１０４を有する。また電子機器１０は、ユーザにより設定された本体情報を保持する設定情報保持部２０２と、電子機器１０の状態の遷移を検出する開閉検出部２２０を備える。
【００１９】
システムコントローラ２００は、メインＣＰＵ１００とは独立して、各種操作キーの状態検出機能、通信処理機能および電力制御機能を実行する。具体的にシステムコントローラ２００は、操作入力受付部２０４、遷移情報受付部２０６、ホールド状態値受付部２０８、電力制御部２１０および通信処理部２１２を有する。
【００２０】
システムコントローラ２００の機能は、ＣＰＵ、メモリ、メモリにロードされたプログラムなどによって実現され、ここではそれらの連携によって実現される機能ブロックを描いている。したがってこれらの機能ブロックがハードウエアのみ、ソフトウエアのみ、またはそれらの組合せによっていろいろな形で実現できることは、当業者に理解されるところである。
【００２１】
上記したように、閉状態にある電子機器１０では、音楽再生アプリケーションなどの実行中以外は、原則としてメインＣＰＵ１００の動作モードをスリープモードに設定して、省電力化を実現することが好ましい。しかしながらユーザによっては、電子機器１０が閉状態にあるときに、現在時刻情報などのディスプレイ表示を希望することもある。そこで本実施例の電子機器１０では、閉状態にしたときの電子機器１０の動作を、本体情報としてユーザに予め登録させることとしている。
【００２２】
図５は、閉状態にしたときの電子機器１０の動作を設定するための画面例を示す。メニュー処理部１０２は、ユーザが本体情報設定処理を行う際に、図５に示す設定画面を生成する。この設定画面においてユーザが、操作ボタン３６ｂを押下すると、操作入力受付部２０４が、操作ボタン３６ｂの押下入力を受け付け、メニュー処理部１０２に供給する。メニュー処理部１０２は、本体情報項目「閉状態にしたときの設定」に対して用意されている設定項目の選択画面を生成する。なお、図５に示す設定画面においては、設定項目の初期値として「標準」が選択された状態が示される。
【００２３】
図６は、設定項目の選択画面６０を示す。選択画面６０には、「標準」と「スリープモードにする」の２つの選択肢が示される。設定項目「標準」が選択されると、電子機器１０が開状態から閉状態に遷移したときに、アプリケーション処理部１０４が、現在時刻情報を示す時計をディスプレイ２３に表示するアプリケーションを実行する。設定項目「スリープモードにする」が選択されると、電子機器１０が開状態から閉状態に遷移したときに、メインＣＰＵ１００への電力供給を停止するスリープモードが実行される。なおスリープモードの実行時、電子機器１０が閉状態から開状態に遷移すると、メインＣＰＵ１００への電力供給が再開されて、メインＣＰＵ１００がレジュームされる。ユーザにより選択された設定項目は、本体情報として設定情報保持部２０２に保持される。以下では、ユーザにより「スリープモードにする」が選択された場合について説明する。
【００２４】
図４に戻り、システムコントローラ２００において、遷移情報受付部２０６は、開閉検出部２２０から、電子機器１０が開状態から閉状態に、または閉状態から開状態に状態遷移したことを示す遷移情報を受け付ける。上側筐体２０および下側筐体３０は、スライド機構によりスライド可能に連結されており、開閉検出部２２０は、スライド機構に設けられた磁気センサを有して構成されてもよい。開閉検出部２２０は、電子機器１０が開状態から閉状態に遷移したとき、または閉状態から開状態に遷移したときに、その遷移したことを示す遷移情報を遷移情報受付部２０６に出力する。たとえば開閉検出部２２０は、開状態から閉状態に遷移したときには信号値０の遷移情報を、また閉状態から開状態に遷移したときには信号値１の遷移情報を遷移情報受付部２０６に出力してもよい。遷移情報受付部２０６は、開閉検出部２２０から遷移情報を受け付け、電子機器１０が閉状態に遷移したか、または開状態に遷移したかを判定する。
【００２５】
なお、開閉検出部２２０は、開状態であるか閉状態であるかを示す状態情報を遷移情報受付部２０６に出力してもよい。たとえば開閉検出部２２０は、閉状態にあるときは状態値０を、開状態にあるときは状態値１を遷移情報受付部２０６に出力する。このとき遷移情報受付部２０６は、状態情報が変化したときに、状態遷移が生じたことを判定してもよい。この場合、開閉検出部２２０および遷移情報受付部２０６は、協働して、電子機器１０の状態の遷移を検出する機能を実現する。
【００２６】
電力制御部２１０は、遷移情報受付部２０６で受け付ける遷移情報または遷移情報受付部２０６による判定結果を監視する。設定情報保持部２０２において、閉状態にしたときに「スリープモードにする」ことを定めた本体情報が保持されており、開状態から閉状態への遷移が検出された場合に、電力制御部２１０は、原則としてメインＣＰＵ１００の動作モードを通常モードからスリープモードに切り替える。なお、通常モードは、メインＣＰＵ１００に電力を供給する動作モードであり、スリープモードは、メインＣＰＵ１００への電力供給を停止する動作モードである。動作モードをスリープモードに設定することで、省電力化を実現できる。
【００２７】
以上は、電子機器１０の基本電力制御であるが、本実施例の電子機器１０においては、閉状態にしたときに「スリープモードにする」ことを定めた本体情報が設定情報保持部２０２に保持されている場合であっても、本体情報を変更することなく、開状態から閉状態への遷移が検出されてもユーザによる操作スイッチの操作状態に応じて、スリープモードへの移行を禁止する制御が行われる。
【００２８】
ホールド状態値受付部２０８は、ホールドスイッチ５０の状態値を受け付ける。ホールドスイッチ５０の状態値は、ホールドスイッチ５０のオン状態またはオフ状態を示す値である。なお、オン状態を示す状態値は、操作キーの操作入力の受け付けを無効にすることを操作入力受付部２０４に指示する信号である。ホールド状態値受付部２０８が、ホールドスイッチ５０のオン状態を示す状態値を受け付けると、操作入力受付部２０４が、操作キーの操作入力の受け付けを無効にする。これにより、ユーザは、電子機器１０に設けられた操作キーを有効に操作できないようになる。
【００２９】
なおホールド状態値受付部２０８は、ホールドスイッチ５０の状態値ではなく、ホールドスイッチ５０の状態が切り替わったことを示す信号を受け付けてもよい。ホールドスイッチ５０は、ユーザによりオン位置からオフ位置、またはオフ位置からオン位置に動かされたときに、切り替えられたことを示す切替情報をホールド状態値受付部２０８に出力する。ホールド状態値受付部２０８が、ホールドスイッチ５０がオフ状態からオン状態に切り替えられたことを示す切替情報を受け付けると、操作入力受付部２０４が、操作キーの操作入力の受け付けを無効にする。
【００３０】
電力制御部２１０は、ホールドスイッチ５０がオフ状態にある場合に、開閉検出部２２０および／または遷移情報受付部２０６にて開状態から閉状態への遷移が検出されると、メインＣＰＵ１００の動作モードを通常モードからスリープモードに切り替える。一方、電力制御部２１０は、ホールドスイッチ５０がオン状態にある場合に、開閉検出部２２０および／または遷移情報受付部２０６にて開状態から閉状態への遷移が検出されても、メインＣＰＵ１００の動作モードを通常モードからスリープモードに切り替えず、通常モードを維持する。これにより、アプリケーション処理部１０４は、実行中のアプリケーションを、電子機器１０が閉状態になっても継続して実行できる。
【００３１】
ホールドスイッチ５０がオン状態にある場合、操作入力受付部２０４は、操作キーの操作入力の受け付けを無効にするが、同様に、遷移情報受付部２０６も、開閉検出部２２０から出力される遷移情報の受け付けを無効にする。そのため電力制御部２１０は、開状態から閉状態に遷移した場合であっても、遷移情報の受け付けが無効にされることで、その遷移したことを認識しない。したがって電力制御部２１０は、開閉検出部２２０および／または遷移情報受付部２０６にて開状態から閉状態への遷移が検出されても、その遷移を認識しないことで、動作モードをスリープモードには切り替えず、通常モードを維持する電力制御を行う。
【００３２】
以上説明した遷移情報受付部２０６が遷移情報の受け付けを無効にする処理とは別に、電力制御部２１０は、ホールド状態値受付部２０８で受け付ける状態値を監視してもよい。設定情報保持部２０２において、閉状態にしたときに「スリープモードにする」ことを定めた本体情報が保持されている場合であっても、電力制御部２１０は、開状態から閉状態への遷移が検出されたときに、ホールドスイッチ５０がオン状態にあれば、メインＣＰＵ１００の動作モードを通常モードからスリープモードに切り替えず、通常モードを維持するようにしてもよい。これにより、アプリケーション処理部１０４は、実行中のアプリケーションを、電子機器１０が閉状態になっても継続して実行できる。
【００３３】
ホールドスイッチ５０に、ユーザによる動作モードの設定機能を割り当てることで、電子機器１０の資源を有効に利用できる。また、電子機器１０を閉状態にしたときには、操作キーの操作を無効化することが好適な場合が多く、特に音楽再生アプリケーションにおいては、ユーザが操作キーを操作する場面も少ない。そのため、ホールドスイッチ５０に動作モードの設定機能を割り当てることで、１回のホールドスイッチ５０の操作で、操作キーの操作を無効化するとともに、スリープモードへの移行を禁止することができ、基本的にキー操作を必要としないアプリケーションに対して、簡易に好適な環境を提供することができる。
【００３４】
以上のように、本実施例の電子機器１０では、電力制御部２１０が、ホールドスイッチ５０がオン状態にある場合に、開状態から閉状態への遷移が検出されても、アプリケーション処理部１０４を含むメインＣＰＵ１００の動作モードを通常モードからスリープモードに切り替えない。このように、本実施例の電子機器１０では、閉状態にしたときに、実行していたアプリケーションをそのまま継続するか否かを、ユーザがホールドスイッチ５０のオンオフ設定により簡易に制御できるという利点がある。
【００３５】
なお、ホールドスイッチ５０がオン状態にあるとき、メインＣＰＵ１００は、閉状態であってもアプリケーションの実行を継続するが、電子機器１０に設けられた操作キーの操作入力の受け付けは無効とされる。そのため、操作入力用のリモートコントローラを用意し、通信処理部２１２が、リモートコントローラからの操作入力を受け付けるようにしてもよい。これによりユーザは、音楽再生アプリケーションを自在に操作することができる。リモートコントローラの使用の可否については、アプリケーションごとに定められてよい。なお、このとき、ホールドスイッチ５０をオフ状態にしても、電子機器１０の状態遷移が生じるわけではないため、電力制御部２１０は、メインＣＰＵ１００の動作モードをスリープモードに切り替えることはない。
【００３６】
本実施例の電子機器１０では、ホールドスイッチ５０がオフ状態にあれば、開状態から閉状態に遷移すると、スリープモードに移行する。スリープモードの実行時、電子機器１０が閉状態から開状態に遷移すると、メインＣＰＵ１００への電力供給が再開されて、メインＣＰＵ１００がレジュームされる。
【００３７】
スリープモードの実行時に、ホールドスイッチ５０がオフ位置からオン位置に動かされたときの電子機器１０の動作について説明する。ホールドスイッチ５０がオン状態にあれば、遷移情報受付部２０６は、遷移情報の受け付けを無効にする。そのため、電力制御部２１０は、電子機器１０が閉状態から開状態に遷移しても、遷移情報の受け付けが無効にされることで、その遷移したことを認識しない。したがって電力制御部２１０は、開閉検出部２２０および／または遷移情報受付部２０６にて閉状態から開状態への遷移が検出されても、その遷移を認識しないことで、動作モードを通常モードには切り替えず、メインＣＰＵ１００はレジュームされない。
【００３８】
図７は、メインＣＰＵ１００のスリープモードへの移行制御を示すフローチャートである。上記したように、この制御フローでは、電子機器１０を閉状態にしたときに、スリープモードに入ることを定めた本体情報が設定されていることを前提とする。遷移情報受付部２０６が、開閉検出部２２０からの遷移情報の到来を監視する（Ｓ１０）。開閉検出部２２０から遷移情報が出力されなければ（Ｓ１０のＮ）、本制御フローは実行されない。遷移情報受付部２０６が、開状態から閉状態に遷移したことを示す遷移情報を受け付けると（Ｓ１０のＹ）、ホールドスイッチ５０がオン状態にあるかオフ状態にあるかに応じて（Ｓ１２）、遷移情報受付部２０６が、遷移情報の扱いを決定する。
【００３９】
遷移情報受付部２０６は、ホールドスイッチ５０がオフ状態にあれば（Ｓ１２のＮ）、遷移情報の受け付けを有効とし、電力制御部２１０は、メインＣＰＵ１００の動作モードを通常モードからスリープモードに切り替える（Ｓ１６）。一方、ホールドスイッチ５０がオン状態にあれば（Ｓ１２のＹ）、遷移情報受付部２０６は、遷移情報の受け付けを無効とし、電力制御部２１０は、メインＣＰＵ１００の動作モードを通常モードからスリープモードに切り替えず、通常モードを維持する（Ｓ１４）。以上により、メインＣＰＵ１００の動作モードの制御が終了する。
【００４０】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【００４１】
実施例では、主に、電子機器１０を閉状態にしたときにスリープモードに入ることを定めた本体情報が設定されていた場合の、ホールドスイッチ５０の操作状態に応じた電力制御について説明した。変形例では、電子機器１０を閉状態にしたときに「標準」に入ることを定めた本体情報が設定されている場合に、アプリケーション処理部１０４が、ホールドスイッチ５０の操作状態に応じてアプリケーションの実行を制御する。
【００４２】
実施例に示したように、設定項目「標準」が選択されると、電子機器１０が開状態から閉状態に遷移したときに、アプリケーション処理部１０４が、現在時刻情報を示す時計をディスプレイ２３に表示するアプリケーションを実行する。変形例では、ホールドスイッチ５０がオン状態にあると、電子機器１０が開状態から閉状態に遷移しても、遷移情報受付部２０６が、遷移情報の受け付けを無効とすることで、アプリケーション処理部１０４が、アプリケーションを実行しないようにしてもよい。
【００４３】
また、電子機器１０が開状態から閉状態に遷移して、アプリケーション処理部１０４が時計をディスプレイ２３に表示するアプリケーションを実行しているときにホールドスイッチ５０がオン状態にされると、電子機器１０が閉状態から開状態に遷移しても、アプリケーション処理部１０４は、アプリケーションを実行し続けてもよい。遷移情報受付部２０６が遷移情報の受け付けを無効とすることで、アプリケーション処理部１０４が、閉状態から開状態への遷移を認識せず、時計をディスプレイ２３に引き続き表示する。なお、このとき、ホールドスイッチ５０がオン状態にあるため、操作キーのキー操作は無効とされるが、たとえば時刻合わせなど、時計の設定に必要な操作キーの操作に限っては、操作入力受付部２０４が、有効なものとして受け付けるようにしてもよい。
【００４４】
実施例では、ユーザが動作モード制御の設定を行う操作スイッチとしてホールドスイッチ５０を利用したが、ホールドスイッチ５０とは別に、ユーザが動作モード制御の設定を行うための操作スイッチが設けられてもよい。
【００４５】
また、実施例では上側筐体２０と下側筐体３０とが並行に直進方向にスライド可能に連結される電子機器１０を示したが、上側筐体２０と下側筐体３０とは、回転方向にスライド可能に連結されてもよい。
【符号の説明】
【００４６】
１０・・・電子機器、２０・・・上側筐体、２３・・・ディスプレイ、３０・・・下側筐体、５０・・・ホールドスイッチ、１００・・・メインＣＰＵ、１０２・・・メニュー処理部、１０４・・・アプリケーション処理部、２００・・・システムコントローラ、２０２・・・設定情報保持部、２０４・・・操作入力受付部、２０６・・・遷移情報受付部、２０８・・・ホールド状態値受付部、２１０・・・電力制御部、２１２・・・通信処理部、２２０・・・開閉検出部。
【図１】
2011065682.tif 000003
【図２】
2011065682.tif 000004
【図３】
2011065682.tif 000005
【図４】
2011065682.tif 000006
【図５】
2011065682.tif 000007
【図６】
2011065682.tif 000008
【図７】
2011065682.tif 000009